(57)【要約】【課題】アクセスポイントにおいて保持する通信記録情報（ログ情報）を共有して、最適な無線接続環境を決定し、データの送受信を効率良く行うことができる無線ＬＡＮシステムを提供する。【解決手段】この無線ＬＡＮシステムは、少なくとも１つの無線ＬＡＮアクセスポイントと、この無線ＬＡＮアクセスポイントに対し無線通信によるアクセスが可能な少なくとも１つのクライアントを有している。前記無線ＬＡＮアクセスポイントおよび前記クライアントは、複数の無線ＬＡＮ規格に対応しており、前記無線ＬＡＮアクセスポイントおよび前記クライアントがそれぞれの間で通信記録情報（ログ情報）を互いに通信して、常に最新の情報を共有するようにしている。前記クライアントが前記無線ＬＡＮアクセスポイント間のローミングを行なう際にも、前記通信記録情報（ログ情報）をもとに、自身の最適な通信環境を設定できるようにした。【選択図】      図１
2004364179.tif 000002
【特許請求の範囲】
【請求項１】
少なくとも１つの無線ＬＡＮアクセスポイントと、この無線ＬＡＮアクセスポイントに対し無線通信によるアクセスが可能な少なくとも１つのクライアントとを有する無線ＬＡＮシステムであって、前記無線ＬＡＮアクセスポイントおよび前記クライアントは、複数の無線ＬＡＮ規格に対応しており、前記無線ＬＡＮアクセスポイントおよび前記クライアントが、前記無線ＬＡＮアクセスポイント間、前記無線ＬＡＮアクセスポイントとクライアント間および前記クライアント間において通信記録情報（ログ情報）を互いに通信して、常に最新の情報を共有するようにし、且つ前記無線ＬＡＮアクセスポイント間のローミングを行なう際にも、前記通信記録情報をもとに、前記クライアントが最適な通信環境を設定できるようにしたことを特徴とする無線ＬＡＮシステム。
【請求項２】
請求項１に記載の無線ＬＡＮシステムにおいて、前記通信記録情報を前記無線ＬＡＮ規格とは異なる無線通信規格や有線ＬＡＮ規格により通信するようにしたことを特徴とする無線ＬＡＮシステム。
【請求項３】
請求項２に記載の無線ＬＡＮシステムにおいて、前記無線ＬＡＮ規格とは異なる無線通信規格は、ＢｌｕｅｔｏｏｔｈまたはＩｒＤＡであることを特徴とする無線ＬＡＮシステム。
【請求項４】
請求項１乃至３のいずれかに記載の無線ＬＡＮシステムにおいて、前記通信記録情報は、少なくとも、前記クライアントのＭＡＣアドレス、ＩＰアドレス、通信無線規格、接続時間、及び送受信パケット数を含み、前記無線ＬＡＮアクセスポイントおよびその管理下にあるクライアント固有の情報のことであることを特徴とする無線ＬＡＮシステム。
【請求項５】
請求項１乃至４のいずれかに記載の無線ＬＡＮシステムにおいて、前記クライアントは、前記共有する通信記録情報をもとに最適な無線接続設定を自動選択できる機能あるいはユーザに最適な無線接続設定を選択させる機能を有することを特徴とする無線ＬＡＮシステム。
【請求項６】
請求項１乃至５のいずれかに記載の無線ＬＡＮシステムにおいて、前記無線ＬＡＮアクセスポイントおよび前記クライアントはそれぞれ前記通信記録情報の過去の履歴を保持して、前記通信記録情報を送信する際に、前記過去の履歴も送信するようにし、活用できる通信記録情報がほとんどないか、あるいは、少ない場合は、前記通信記録情報の過去の履歴を参照することにより、最適な無線接続設定を決定することを特徴とする無線ＬＡＮシステム。
【請求項７】
少なくとも１つのクライアントから無線通信によってアクセスが可能な少なくとも１つの無線ＬＡＮアクセスポイントであって、複数の無線ＬＡＮ規格に対応しており、前記無線ＬＡＮアクセスポイントおよび前記クライアントが、前記無線ＬＡＮアクセスポイント間、前記無線ＬＡＮアクセスポイントとクライアント間および前記クライアント間において通信記録情報（ログ情報）を互いに通信して、常に最新の情報を共有するようにしたことを特徴とする無線ＬＡＮアクセスポイント。
【請求項８】
無線通信によって、無線ＬＡＮアクセスポイントおよび他のクライアントとアクセスが可能なクライアントであって、複数の無線ＬＡＮ規格に対応しており、前記無線ＬＡＮアクセスポイントおよび前記クライアントが、前記無線ＬＡＮアクセスポイント間、前記無線ＬＡＮアクセスポイントとクライアント間および前記クライアント間において通信記録情報（ログ情報）を互いに通信して、常に最新の情報を共有するようにし、前記無線ＬＡＮアクセスポイント間のローミングを行なう際にも、前記通信記録情報（ログ情報）をもとに、最適な無線接続設定を決定するようにしたことを特徴とするクライアント。
【発明の詳細な説明】
【０００１】
【発明の属する技術分野】
本発明は、無線ＬＡＮシステムに関し、特に、無線を使用して通信する機器に関するものである。
【０００２】
【従来の技術】
最近はパーソナルコンピュータの普及に伴い、オフィスや家庭などにおいて複数台のパーソナルコンピュータを所有するケースが増えており、パーソナルコンピュータ同士を接続するためにＬＡＮシステムが普及してきている。
ＬＡＮシステムを使用するためには一般にはケーブルを使用するが、従来のオフィスや一般家庭ではこれらケーブルの敷設スペースが確保されておらず、ケーブルを敷設すると美感を損ねることが多く、また、敷設に伴う工事のコストや手間も少なくない。
そのため、布線が難しい場所や移動が頻繁に行われる所では、ケーブルによるＬＡＮに置き換わるものとして、無線ＬＡＮが普及しつつある。
このうち一般に市販されている無線ＬＡＮシステムは、親局となる無線ＬＡＮアクセスポイントとこの無線ＬＡＮアクセスポイントに接続されるユーザのパーソナルコンピュータのような複数のクライアントとから構成される。無線ＬＡＮアクセスポイントは自分と直接無線で通信しているクライアントを管理している。さらに複数の無線ＬＡＮアクセスポイントを設置し、無線ＬＡＮアクセスポイント間を有線のＬＡＮで接続して、大規模な無線ＬＡＮシステムを構成している。
また、通常無線ＬＡＮは屋内において使用されるが、無線ＬＡＮアクセスポイントにおいては、自分の管理下の各クライアントとの間の通信記録情報（電波強度や伝送速度、パケット誤り率など）を測定する機能を個々に持っている。しかし、無線ＬＡＮシステムのネットワーク全体としてまとめる機能は持ってはいない。
【０００３】
一方、特許文献１の「無線印刷システム及び携帯情報端末」では、複数の無線インターフェースを有する携帯情報端末からの指令によりプリンタで印刷するときに、ユーザは通信経路選択方法として、３つのモードのいずれかを予め設定し、携帯情報端末に保存しておく。
ユーザが携帯情報端末からプリンタに対し印刷命令を実行すると、携帯情報端末は設定されたモードに従った処理を行い、ユーザにとって最適の無線インターフェースを自動的に決定し、プリンタへデータを送信し印刷を行うようにした。
これにより、複数の無線インターフェースの中からユーザにとって最適の無線インターフェースを自動で選択するので、ユーザにとって印刷設定時のわずらわしさを解消するとともに、効率的な無線データ送信ができる。
【特許文献１】特開２００２−３４５０２７公報
【０００４】
【発明が解決しようとする課題】
しかしながら、従来、無線ＬＡＮシステム環境下にある、無線ＬＡＮアクセスポイントやクライアントは、１つの無線ＬＡＮアクセスポイントに対して、複数のクライアントがぶら下がっているというマスター、スレーブという関係であり、無線ＬＡＮアクセスポイントが無線ＬＡＮシステムを一極管理しているイメージが強く、無線ＬＡＮアクセスポイント如何によって、無線ＬＡＮ環境が決定してしまうという問題があった。
また、今後、複数のアクセスポイントが置かれた環境や、種々の無線ＬＡＮ規格が内在した無線ＬＡＮ環境が増えていくにつれ、無線ＬＡＮアクセスポイントだけが持つ情報により、無線ＬＡＮシステムを構築していくことは、無線ＬＡＮアクセスポイントの負荷が多く、十分なスループットが得られず、またローミングを円滑化に行なうことができないという問題があった。
また、従来、無線ＬＡＮアクセスポイント間通信、無線ＬＡＮアクセスポイントとクライアント間、クライアント間の様々な通信は、同一の無線ＬＡＮ規格で通信していたため、データ通信以外の、余計ともいえる通信情報の送受信は、無線通信のスループットの減少につながり、無線ＬＡＮアクセスポイント間、無線ＬＡＮアクセスポイントとクライアント間では大容量の通信情報（ログ情報）データを送ることができないという問題があった。
また、従来の無線ＬＡＮアクセスポイントでも種々の無線ＬＡＮ規格に対応しており、通信情報（ログ情報）を保持しているものも存在するが、無線ＬＡＮアクセスポイントが通信規格の選択を自動的に割り当て、管理下のクライアントはそれに従って通信するだけである。
本発明は、上記の実情を考慮してなされたものであって、無線ＬＡＮアクセスポイントにおいて保持している通信記録情報（ログ情報）を共有して、最適な無線接続環境を決定し、データの送受信を効率良く行うことができる無線ＬＡＮシステムを提供することを目的とする。
【０００５】
【課題を解決するための手段】
上記の課題を解決するために、本発明の請求項１は、少なくとも１つの無線ＬＡＮアクセスポイントと、この無線ＬＡＮアクセスポイントに対し無線通信によるアクセスが可能な少なくとも１つのクライアントとを有する無線ＬＡＮシステムであって、前記無線ＬＡＮアクセスポイントおよび前記クライアントは、複数の無線ＬＡＮ規格に対応しており、前記無線ＬＡＮアクセスポイントおよび前記クライアントが、前記無線ＬＡＮアクセスポイント間、前記無線ＬＡＮアクセスポイントとクライアント間および前記クライアント間において通信記録情報（ログ情報）を互いに通信して、常に最新の情報を共有するようにし、且つ前記無線ＬＡＮアクセスポイント間のローミングを行なう際にも、前記通信記録情報をもとに、前記クライアントが最適な通信環境を設定できるようにしたことを特徴とする。
また、本発明の請求項２は、請求項１に記載の無線ＬＡＮシステムにおいて、前記通信記録情報（ログ情報）を前記無線ＬＡＮ規格とは異なる無線通信規格や有線ＬＡＮ規格により通信するようにしたことを特徴とする。
また、本発明の請求項３は、請求項２に記載の無線ＬＡＮシステムにおいて、前記無線ＬＡＮ規格とは異なる無線通信規格は、ＢｌｕｅｔｏｏｔｈまたはＩｒＤＡであることを特徴とする。
また、本発明の請求項４は、請求項１乃至３のいずれかに記載の無線ＬＡＮシステムにおいて、前記通信記録情報（ログ情報）は、少なくとも、前記クライアントのＭＡＣアドレス、ＩＰアドレス、通信無線規格、接続時間、送受信パケット数を含み、前記無線ＬＡＮアクセスポイントおよびその管理下にあるクライアント固有の情報のことであることを特徴とする。
【０００６】
また、本発明の請求項５は、請求項１乃至４のいずれかに記載の無線ＬＡＮシステムにおいて、前記クライアントは、前記共有する通信記録情報（ログ情報）をもとに最適な無線接続設定を自動選択できる機能あるいはユーザに最適な無線接続設定を選択させる機能を有することを特徴とする。
また、本発明の請求項６は、請求項１乃至５のいずれかに記載の無線ＬＡＮシステムにおいて、前記無線ＬＡＮアクセスポイントおよび前記クライアントはそれぞれ前記通信記録情報（ログ情報）の過去の履歴を保持して、前記通信記録情報（ログ情報）を送信する際にこの過去の履歴も送信するようにし、活用できる通信記録情報（ログ情報）がほとんどない、あるいは、少ない場合は、前記通信記録情報（ログ情報）の過去の履歴を参照することにより、最適な無線接続設定を決定することを特徴とする。
また、本発明の請求項６は、少なくとも１つのクライアントから無線通信によってアクセスが可能な少なくとも１つの無線ＬＡＮアクセスポイントであって、複数の無線ＬＡＮ規格に対応しており、前記無線ＬＡＮアクセスポイントおよび前記クライアントそれぞれの間（無線ＬＡＮアクセスポイント間、無線ＬＡＮアクセスポイントとクライアント間およびクライアント間）で通信記録情報（ログ情報）を互いに通信して、常に最新の情報を共有するようにしたことを特徴とする。
【０００７】
また、本発明の請求項７は、無線通信によって、無線ＬＡＮアクセスポイントおよび他のクライアントとアクセスが可能なクライアントであって、複数の無線ＬＡＮ規格に対応しており、前記無線ＬＡＮアクセスポイントおよび前記クライアントそれぞれの間（無線ＬＡＮアクセスポイント間、無線ＬＡＮアクセスポイントとクライアント間およびクライアント間）で通信記録情報（ログ情報）を互いに通信して、常に最新の情報を共有するようにし、前記無線ＬＡＮアクセスポイント間のローミングを行なう際にも、前記通信記録情報（ログ情報）をもとに、最適な無線接続設定を決定するようにしたことを特徴とする。
したがって、無線ＬＡＮアクセスポイント間、無線ＬＡＮアクセスポイントとクライアント間およびクライアント間で、従来無線ＬＡＮアクセスポイントが保持していた通信記録情報（ログ情報）を通信、共有することができるので、クライアントが無線ＬＡＮアクセスポイントの情報に左右されないフレキシブルなデータ通信が可能になる。
また、無線ＬＡＮアクセスポイントとクライアント間およびクライアント間通信に、無線ＬＡＮ規格以外の規格で通信を可能とすることにより、無線ＬＡＮ環境の著しいスループットの減少が起こらず、無線ＬＡＮアクセスポイントとクライアント間およびクライアント間で無線ＬＡＮ環境の情報を共有することができる。
また、無線ＬＡＮアクセスポイントおよびクライアントは、ログ情報を共有しているため、クライアントは無線ＬＡＮアクセスポイントに従属された存在ではなく、自ら無線ＬＡＮ環境に合わせて自動的に判断でき、また、無線ＬＡＮアクセスポイントは複数のクライアントを常に制御する必要がなくなり、さらに無線ＬＡＮ規格以外の規格で通信はリアルタイム性を追求しないので、負荷の減少が図られ、無線ＬＡＮ環境において、最小の負荷で最適な無線通信ができる。
また、種々の無線ＬＡＮ規格が内在している無線ＬＡＮ環境下において、クライアントが無線ＬＡＮ環境のあらゆる情報を共有しているので、従来無線ＬＡＮアクセスポイントでしか判別できない決定事項（ローミングやチャネル選定など）をクライアントが自動もしくは手動で判別し、決定することができる。
また、無線ＬＡＮアクセスポイントやクライアントが新規に新設されたりして、ログ情報をほとんど持たないときでも過去に保持している情報を参照したり、一方、過去に保持している情報がないときにもクライアントから情報を参照したり、他の無線ＬＡＮアクセスポイントから情報を参照することができるので、無線ＬＡＮ環境において常に最適な状態で無線通信を行なうことができる。
【０００８】
【発明の実施の形態】
以下、図面を参照して本発明の好適な実施形態を説明する。
図１は、本発明の実施形態を説明するための概略的なシステム構成図であり、有線通信伝送路としての有線ＬＡＮ１に接続された複数の無線ＬＡＮアクセスポイントＡＰ１，ＡＰ２，・・・と、それぞれの無線ＬＡＮアクセントポイントＡＰ１，ＡＰ２，・・・の管理下にある複数のクライアントＣＬ１，ＣＬ２，・・・が存在している。尚、この実施形態では、ある時点においては、無線ＬＡＮアクセントポイントＡＰ１はクライアントＣＬ１，ＣＬ２を管理し、無線ＬＡＮアクセントポイントＡＰ２はクライアントＣＬ３、ＣＬ４を管理し、無線ＬＡＮアクセスポイントＡＰ３はクライアントＣＬ５，ＣＬ６を管理しているとする。
また、これらの無線ＬＡＮアクセスポイントおよびクライアントは、複数の無線ＬＡＮ規格（ＩＥＥＥ８０２．１１ａ，  ＩＥＥＥ８０２．１１ｂ，  ＩＥＥＥ８０２．１１ｇ等）に対応しており、無線ＬＡＮアクセスポイント間、無線ＬＡＮアクセスポイントとクライアント間およびクライアント間のそれぞれの間で、通信記録情報、即ち、ログ情報を互いに通信でき、常に最新の情報を共有しており、クライアントが無線ＬＡＮアクセスポイント間のローミングを行なう際にも、このログ情報を活用して最適な無線接続設定を決定することができる。
ここで、ログ情報は、無線ＬＡＮアクセスポイントおよび管理下にあるクライアント固有の情報のことであり、次のようなものを含んでいる。
クライアントのＭＡＣアドレス、クライアントのＩＰアドレス、通信している無線規格、接続時間、送受信パケット数。
【０００９】
また、上記のログ情報をそれぞれの間で無線通信するには、先に述べた規格化されている無線ＬＡＮ規格だけでなく、ＢｌｕｅｔｏｏｔｈやＩｒＤＡ等のような無線ＬＡＮ規格とは別の無線通信規格や有線ＬＡＮ規格で通信を行ってもよい。
例えば、図１において、無線ＬＡＮアクセスポイント（ＡＰ１，ＡＰ２，ＡＰ３）間で無線通信状態情報（ログ情報）をやり取りするだけでなく、無線ＬＡＮアクセスポイントＡＰ１の管理下にあるクライアント（ＣＬ１，ＣＬ２）間で無線通信状態情報（ログ情報）をやり取りし（他のＡＰ２、ＡＰ３についても同様）、また、クライアント間（ＣＬ１，ＣＬ２，ＣＬ３，・・・・）をやり取りすることになる。
このように通常無線ＬＡＮアクセスポイント間でのみ相互にやり取りしている上記のログ情報をクライアントも保有できるようになったので、今まで無線ＬＡＮアクセスポイントの機能である最適な通信規格を選択する機能をクライアントも持つことができ、さらに、最適な通信規格を自動選択するだけでなく、ユーザが手動で通信規格を選択するように構成することもできる。
このような無線ＬＡＮ環境下で、無線ＬＡＮアクセスポイントおよびクライアントは、それぞれが図２に示すように、一定の時間間隔または要求により動作することによって、自分の最適な無線接続設定を決定する。図２を用いてクライアントＣＬ１の動作について説明するが、他の無線ＬＡＮアクセスポイントやクライアントも同様に動作する。
【００１０】
他のクライアント、他の無線ＬＡＮアクセスポイントと、通信記録情報（ログ情報）を送受信する（ステップＳ１）。この通信には、無線通信規格とは異なる、ＢｌｕｅｔｏｏｔｈやＩｒＤＡ等のような無線通信規格や有線ＬＡＮ規格で通信を行ってもよい。
例えば、クライアントＣＬ１は、無線ＬＡＮアクセスポイントＡＰ１からこの無線ＬＡＮアクセスポイントの管理下の他のクライアントに関するログ情報、また、他の無線ＬＡＮアクセスポイント（ＡＰ２，ＡＰ３）やその管理下のクライアントに関するログ情報を受信する。また、クライアントＣＬ１は、クライアントＣＬ２やＣＬ３と通信して、これらのクライアントが保持するログ情報およびそのクライアント（ＣＬ２，ＣＬ３）が得たログ情報を受信する。得た情報が重複する場合には、最新のログ情報以外は削除する。
受信したログ情報から、周囲の電波環境を分析する（ステップＳ２）。この周囲の電波環境とは、どういった周波数帯（チャネルも含めて）を使用しているのか、あるいは、どれくらいのクライアント、無線ＬＡＮアクセスポイントがあるのか、あるいは、暗号化を使って通信しているか等の情報のことである。
分析結果をもとに、最適な無線接続設定を自動決定し、その結果を他のクライアントおよび他の無線ＬＡＮアクセスポイントへ通知する（ステップＳ３）。
自動設定の場合には（ステップＳ４のＹＥＳ）、処理を終了し、次のログ情報の送受信割込みがあるまで待機する。
一方、手動設定を行う場合には（ステップＳ４のＮＯ）、クライアントＣＬ１は手動により、無線接続設定を決定し、処理を終了し、次のログ情報の送受信割込みがあるまで待機する。
【００１１】
以上のように、無線ＬＡＮアクセスポイントが保持している通信記録情報（ログ情報）を、各無線ＬＡＮアクセスポイントおよび各クライアントが共有することによって、クライアントが無線ＬＡＮアクセスポイントの情報に左右されないフレキシブルなデータ通信が可能になる。
また、この無線ＬＡＮアクセスポイント間、無線ＬＡＮアクセスポイントとクライアント間、クライアント間通信に、無線ＬＡＮ規格以外の規格で通信できるようにしたことにより、無線ＬＡＮ環境の著しいスループットの減少が起こらず、それらの間で無線ＬＡＮ環境の情報を共有することができる。
また、クライアントも無線ＬＡＮアクセスポイントの持つ通信記録情報（ログ情報）を共有するため、クライアントは無線ＬＡＮアクセスポイントに従属された存在ではなく、自ら無線ＬＡＮ環境に合わせて判断でき、また、無線ＬＡＮアクセスポイントは複数のクライアントを常に制御する必要がなくなり、さらに無線ＬＡＮ規格以外の規格で通信はリアルタイム性を追求しないので、負荷の減少が図られ、無線ＬＡＮ環境において、最小の負荷で最適な無線通信ができる。
さらに、種々の無線ＬＡＮ規格が内在している無線ＬＡＮ環境下において、クライアントが無線ＬＡＮ環境のあらゆる情報を共有することになるので、従来無線ＬＡＮアクセスポイントでしか判別できない決定事項（ローミングやチャネル選定など）をクライアントが自動もしくは手動で判別し、決定できる。
【００１２】
次に、活用できるログ情報がほとんどない、あるいは、少ない場合にはログ情報の過去の履歴を保持し、その他の無線ＬＡＮアクセスポイントやクライアントの情報を参照するだけでなく、この過去の履歴をも参照して無線接続環境を自動設定し、無線通信するように構成することができる。
この場合の各無線ＬＡＮアクセスポイントや各クライアントの動作を図２をもとに説明する。
ステップＳ１で送受信するログ情報の中に、無線ＬＡＮアクセスポイントおよびクライアントが過去どのような設定で無線通信したか等の情報も入れる。
さらに、ステップＳ２では、現在そして将来に、どのような設定で無線接続を行うべきかも分析する。
以上のように、無線ＬＡＮアクセスポイントやクライアントが新規に新設された場合、ログ情報をほとんど持たないときでも、過去に保持している情報を参照したり、過去に保持している情報がない場合にも、クライアントから情報を参照したり、他の無線ＬＡＮアクセスポイントから情報を参照することができるので、無線ＬＡＮ環境において常に最適な状態で無線通信を行なうことができる。
【００１３】
【発明の効果】
以上説明したように本発明によれば、無線ＬＡＮアクセスポイント間、無線ＬＡＮアクセスポイントとクライアント間およびクライアント間で、従来無線ＬＡＮアクセスポイントが保持していた通信記録情報（ログ情報）を通信、共有することができるので、クライアントがア無線ＬＡＮクセスポイントの情報に左右されないフレキシブルなデータ通信が可能になる。
また、無線ＬＡＮアクセスポイントとクライアント間およびクライアント間通信に、無線ＬＡＮ規格以外の規格で通信を可能とすることにより、無線ＬＡＮ環境の著しいスループットの減少が起こらず、無線ＬＡＮアクセスポイントとクライアント間およびクライアント間で無線ＬＡＮ環境の情報を共有することができる。
また、無線ＬＡＮアクセスポイントおよびクライアントは、ログ情報を共有しているため、クライアントは無線ＬＡＮアクセスポイントに従属された存在ではなく、自ら無線ＬＡＮ環境に合わせて自動的に判断でき、また、無線ＬＡＮアクセスポイントは複数のクライアントを常に制御する必要がなくなり、さらに無線ＬＡＮ規格以外の規格で通信はリアルタイム性を追求しないので、負荷の減少が図られ、無線ＬＡＮ環境において、最小の負荷で最適な無線通信ができる。
また、種々の無線ＬＡＮ規格が内在している無線ＬＡＮ環境下において、クライアントが無線ＬＡＮ環境のあらゆる情報を共有しているので、従来無線ＬＡＮアクセスポイントでしか判別できない決定事項（ローミングやチャネル選定など）をクライアントが自動もしくは手動で判別し、決定することができる。
また、無線ＬＡＮアクセスポイントやクライアントが新規に新設されたりして、ログ情報をほとんど持たないときでも、過去に保持している情報を参照したり、過去に保持している情報がない場合にも、クライアントから情報を参照したり、他の無線ＬＡＮアクセスポイントから情報を参照することができるので、無線ＬＡＮ環境において常に最適な状態で無線通信を行なうことができる。
【図面の簡単な説明】
【図１】本発明の実施形態を説明するための概略的なシステム構成図である。
【図２】無線ＬＡＮ環境下で、無線ＬＡＮアクセスポイントおよびクライアントが最適な無線接続設定を決定するときの処理手順を示すフローチャートである。
【符号の説明】
１…有線ＬＡＮ、ＡＰ１，ＡＰ２，ＡＰ３…無線ＬＡＮアクセスポイント、ＣＬ１，ＣＬ２，ＣＬ３，ＣＬ４，ＣＬ５，ＣＬ６…クライアント。
【図１】
2004364179.tif 000003
【図２】
2004364179.tif 000004